(57)【要約】  本発明の実施例では、データ処理および伝送方法、並びに、ユーザ端末および基地局が提供されている。このデータ処理方法は、第１のユーザ端末が、第１の伝送信号と、該第１のユーザ端末の第２の伝送信号とが付けられている第１の重畳信号を受信し、該第２の伝送信号が検出できない場合、該第１のユーザ端末が、フィードバック報告を基地局に送信し、前記第１のユーザ端末が、該第２の伝送信号と、前記第１の伝送信号に関連する第１の修正信号とが少なくとも付けられている第２の重畳信号を受信し、該第１のユーザ端末が、前記第１の重畳信号および前記第２の重畳信号から、前記第２の伝送信号を得る、ことを含む。本発明の実施例は、データ伝送性能の向上を目的とする。
2019514247.tif 000002
【特許請求の範囲】
【請求項１】
データ処理方法であって、
第１のユーザ端末が、第１の伝送信号と、該第１のユーザ端末の第２の伝送信号とが付けられている第１の重畳信号を受信し、
該第２の伝送信号が検出できない場合、該第１のユーザ端末が否定フィードバック報告を基地局に送信し、
前記第１のユーザ端末が、該第２の伝送信号と、前記第１の伝送信号に関連する第１の修正信号とが少なくとも付けられている第２の重畳信号を受信し、
該第１のユーザ端末が、前記第１の重畳信号および前記第２の重畳信号から、前記第２の伝送信号を得る、ことを含むことを特徴とする方法。
【請求項２】
前記該第２の伝送信号が検出できない場合、否定フィードバック報告を基地局に送信することは、
前記第１の伝送信号が検出されたが、前記第２の伝送信号が検出できない場合、第１のフィードバック報告を前記基地局に送信し、
前記第１の伝送信号および前記第２の伝送信号のいずれも検出できない場合、第２のフィードバック報告を前記基地局に送信する、ことを含むことを特徴とする請求項１に記載の方法。
【請求項３】
前記基地局が、前記第２のフィードバック報告を受信すると、該第１の伝送信号を修正して、前記第１の修正信号を得、
他のユーザ端末の伝送信号である第３の伝送信号と、前記第１の修正信号と、前記第２の伝送信号とを基に、前記第２の重畳信号を構築して、前記第１のユーザ端末に送信する、ことをさらに含むことを特徴とする請求項２に記載の方法。
【請求項４】
前記第３の伝送信号と、前記第１の修正信号と、前記第２の伝送信号とを基に、前記第２の重畳信号を構築することは、
前記第３の伝送信号の送信電力を設定し、
前記第１の伝送信号と前記第２の伝送信号との前記第１の重畳信号における電力に応じて、前記第１の修正信号と前記第２の伝送信号との送信電力を設定する、ことを含む、ことを特徴とする請求項３に記載の方法。
【請求項５】
前記第１の重畳信号および前記第２の重畳信号から、前記第２の伝送信号を得ることは、
前記第１の重畳信号における前記第１の伝送信号の送信電力を決定し、
前記第２の重畳信号における前記第１の修正信号の送信電力を決定し、
前記第１の修正信号の送信電力と、前記第１の伝送信号の送信電力とから、電力スケーリング因子を得、
該電力スケーリング因子に応じて、前記第１の重畳信号の総送信電力をスケーリングし、
前記第２の重畳信号と、前記電力スケーリング後の前記第１の重畳信号とを加算して、干渉除去信号を得、
前記干渉除去信号から、前記第２の伝送信号を得る、ことを含むことを特徴とする請求項３に記載の方法。
【請求項６】
前記該第１の伝送信号を修正して、前記第１の修正信号を得ることは、
該第１の伝送信号を反転させて、前記第１の修正信号を得、または、該第１の伝送信号に回転因子を乗じて、前記第１の修正信号を得る、ことを含む、ことを特徴とする請求項３に記載の方法。
【請求項７】
前記基地局が、前記否定フィードバック報告を受信すると、該否定フィードバック報告のタイプを判断し、
前記第１の伝送信号が前記第１のユーザ端末によって検出されたが、前記第２の伝送信号が前記第１のユーザ端末によって検出できないことを示すための第１のフィードバック報告である場合、該第２の伝送信号が少なくとも付けられている再送重畳信号を構築して送信し、
前記第１の伝送信号および前記第２の伝送信号のいずれも前記第１のユーザ端末によって検出できないことを示すための第２のフィードバック報告である場合、該第２の重畳信号を構築して送信する、ことをさらに含むことを特徴とする請求項１に記載の方法。
【請求項８】
データ伝送方法であって、
基地局が、第１の伝送信号と、第１のユーザ端末の第２の伝送信号とが付けられている第１の重畳信号を生成して送信し、
前記第１のユーザ端末から、該第２の伝送信号が検出できないことを示すための否定フィードバック報告を受信すると、前記基地局が、該第２の伝送信号と、前記第１の伝送信号に関連する第１の修正信号とが少なくとも付けられている第２の重畳信号を構築して送信する、ことを含むことを特徴とする方法。
【請求項９】
前記基地局が、該第２の重畳信号を構築して送信することは、
前記基地局が、前記第１の伝送信号を修正して、第１の修正信号を得、
前記第１の伝送信号と前記第２の伝送信号との前記第１の重畳信号における電力に応じて、前記第１の修正信号と前記第２の伝送信号との送信電力を設定し、
前記第１の修正信号と、前記第２の伝送信号とを基に、前記第２の重畳信号を構築して、前記第１のユーザ端末に送信する、ことを含むことを特徴とする請求項８に記載の方法。
【請求項１０】
前記基地局が、該第２の重畳信号を構築して送信することは、
前記基地局が、前記第１の伝送信号を修正して、第１の修正信号を得、
前記第１の伝送信号と前記第２の伝送信号との前記第１の重畳信号における電力に応じて、前記第１の修正信号と前記第２の伝送信号との送信電力を設定し、
他のユーザ端末の第３の伝送信号を取得して、該第３の伝送信号の送信電力を設定し、
前記第３の伝送信号と、前記第１の修正信号と、前記第２の伝送信号とを基に、前記第２の重畳信号を構築して、前記第１のユーザ端末に送信する、ことを含むことを特徴とする請求項８に記載の方法。
【請求項１１】
前記基地局が、前記第１の伝送信号を修正して、第１の修正信号を得ることは、
前記基地局が、該第１の伝送信号を反転させて、前記第１の修正信号を得、または、該第１の伝送信号に回転因子を乗じて、前記第１の修正信号を得る、ことを含むことを特徴とする請求項９または請求項１０に記載の方法。
【請求項１２】
前記基地局が、前記否定フィードバック報告を受信すると、該否定フィードバック報告のタイプを判断し、
前記第１の伝送信号が前記第１のユーザ端末によって検出されたが、前記第２の伝送信号が前記第１のユーザ端末によって検出できないことを示すための第１のフィードバック報告である場合、該第２の伝送信号が少なくとも付けられている再送重畳信号を構築して送信し、
前記第１の伝送信号および前記第２の伝送信号のいずれも前記第１のユーザ端末によって検出できないことを示すための第２のフィードバック報告である場合、該第２の重畳信号を構築して送信する、ことをさらに含むことを特徴とする請求項８に記載の方法。
【請求項１３】
ユーザ端末であって、
プロセッサと、
不揮発性機械可読記憶媒体と、
該不揮発性機械可読記憶媒体に記憶され、該プロセッサで実行されるプログラムモジュールと、を備え、
前記プログラムモジュールは、
第１の重畳信号を受信し、前記第１の重畳信号に付けられている、第１の伝送信号と、該第１のユーザ端末の第２の伝送信号とを検出し、
該第２の伝送信号が検出できない場合、否定フィードバック報告を基地局に送信し、
該第２の伝送信号と、前記第１の伝送信号に関連する第１の修正信号とが少なくとも付けられている第２の重畳信号を受信し、前記第１の重畳信号および前記第２の重畳信号から、前記第２の伝送信号を得る、ことを特徴とするユーザ端末。
【請求項１４】
前記プログラムモジュールは、
前記第１の伝送信号が検出されたが、前記第２の伝送信号が検出できない場合、第１のフィードバック報告を前記基地局に送信し、
前記第１の伝送信号および前記第２の伝送信号のいずれも検出できない場合、第２のフィードバック報告を前記基地局に送信する、ことを特徴とする請求項１３に記載のユーザ端末。
【請求項１５】
前記プログラムモジュールは、
前記第１の重畳信号における前記第１の伝送信号の送信電力を決定し、
前記第２の重畳信号における前記第１の修正信号の送信電力を決定し、
前記第１の修正信号の送信電力と、前記第１の伝送信号の送信電力とから、電力スケーリング因子を得、
該電力スケーリング因子に応じて、前記第１の重畳信号の総送信電力をスケーリングし、
前記第２の重畳信号と、前記電力スケーリング後の前記第１の重畳信号とを加算して、干渉除去信号を得、
前記干渉除去信号から、前記第２の伝送信号を検出する、ことを特徴とする請求項１３に記載のユーザ端末。
【請求項１６】
基地局であって、
プロセッサと、
不揮発性機械可読記憶媒体と、
該不揮発性機械可読記憶媒体に記憶され、該プロセッサで実行されるプログラムモジュールと、
送信手段と、を備え、
前記プログラムモジュールは、
第１の伝送信号と、第１のユーザ端末の第２の伝送信号とが付けられている第１の重畳信号を生成し、
前記第１のユーザ端末から、該第２の伝送信号が検出できないことを示すための否定フィードバック報告を受信すると、該第２の伝送信号と、前記第１の伝送信号に関連する第１修正信号とが少なくとも付けられている第２の重畳信号を構築し、
前記送信手段は、前記第１の重畳信号および前記第２の重畳信号を送信する、ことを特徴とする基地局。
【請求項１７】
前記プログラムモジュールは、
前記第１の伝送信号を修正して、第１の修正信号を得、
前記第１の伝送信号と前記第２の伝送信号との前記第１の重畳信号における電力に応じて、前記第１の修正信号と前記第２の伝送信号との送信電力を設定し、
前記第１の修正信号と、前記第２の伝送信号とを基に、前記第２の重畳信号を構築する、ことを特徴とする請求項１６に記載の基地局。
【請求項１８】
前記プログラムモジュールは、
前記第１の伝送信号を修正して、第１の修正信号を得、
前記第１の伝送信号と前記第２の伝送信号との前記第１の重畳信号における電力に応じて、前記第１の修正信号と前記第２の伝送信号との送信電力を設定し、
他のユーザ端末の第３の伝送信号を取得して、該第３の伝送信号の送信電力を設定し、
前記第３の伝送信号と、前記第１の修正信号と、前記第２の伝送信号とを基に、前記第２の重畳信号を構築する、ことを特徴とする請求項１６に記載の基地局。
【請求項１９】
前記プログラムモジュールは、さらに、
前記否定フィードバック報告を受信すると、該否定フィードバック報告のタイプを判断し、
前記第１の伝送信号が前記第１のユーザ端末によって検出されたが、前記第２の伝送信号が前記第１のユーザ端末によって検出できないことを示すための第１のフィードバック報告である場合、該第２の伝送信号が少なくとも付けられている再送重畳信号を構築し、
前記第１の伝送信号および前記第２の伝送信号のいずれも前記第１のユーザ端末によって検出できないことを示すための第２のフィードバック報告である場合、該第２の重畳信号を構築する、ことを特徴とする請求項１６に記載の基地局。
【請求項２０】
プログラムであって、
第１のユーザ端末が、第１の伝送信号と、該第１のユーザ端末の第２の伝送信号とが付けられている第１の重畳信号を受信し、
該第２の伝送信号が検出できない場合、該第１のユーザ端末が否定フィードバック報告を基地局に送信し、
前記第１のユーザ端末が、該第２の伝送信号と、前記第１の伝送信号に関連する第１の修正信号とが少なくとも付けられている第２の重畳信号を受信し、
該第１のユーザ端末が、前記第１の重畳信号および前記第２の重畳信号から、前記第２の伝送信号を得る、ことをコンピュータに実行させることを特徴とするプログラム。
【請求項２１】
不揮発性機械可読記憶媒体であって、
前記記憶媒体に機械可読指令が記憶され、前記機械可読指令は、
第１のユーザ端末が、第１の伝送信号と、該第１のユーザ端末の第２の伝送信号とが付けられている第１の重畳信号を受信し、
該第２の伝送信号が検出できない場合、該第１のユーザ端末が否定フィードバック報告を基地局に送信し、
前記第１のユーザ端末が、該第２の伝送信号と、前記第１の伝送信号に関連する第１の修正信号とが少なくとも付けられている第２の重畳信号を受信し、
該第１のユーザ端末が、前記第１の重畳信号および前記第２の重畳信号から、前記第２の伝送信号を得る、ことを完成させるように、プロセッサで実行可能であることを特徴とする不揮発性機械可読記憶媒体。
【請求項２２】
プログラムであって、
基地局が、第１の伝送信号と、第１のユーザ端末の第２の伝送信号とが付けられている第１の重畳信号を生成して送信し、
前記第１のユーザ端末から、該第２の伝送信号が検出できないことを示すための否定フィードバック報告を受信すると、前記基地局が、該第２の伝送信号と、前記第１の伝送信号に関連する第１の修正信号とが少なくとも付けられている第２の重畳信号を構築して送信する、ことをコンピュータに実行させることを特徴とするプログラム。
【請求項２３】
不揮発性機械可読記憶媒体であって、
前記記憶媒体に機械可読指令が記憶され、前記機械可読指令は、
基地局が、第１の伝送信号と、第１のユーザ端末の第２の伝送信号とが付けられている第１の重畳信号を生成して送信し、
前記第１のユーザ端末から、該第２の伝送信号が検出できないことを示すための否定フィードバック報告を受信すると、前記基地局が、該第２の伝送信号と、前記第１の伝送信号に関連する第１の修正信号とが少なくとも付けられている第２の重畳信号を構築して送信する、ことを完成させるように、プロセッサで実行可能であることを特徴とする不揮発性機械可読記憶媒体。
【請求項２４】
ユーザ端末であって、
第１の重畳信号を受信し、前記第１の重畳信号に付けられている、第１の伝送信号と、該第１のユーザ端末の第２の伝送信号とを検出し、該第２の伝送信号が検出できない場合、否定フィードバック報告を基地局に送信する初送検出手段と、
該第２の伝送信号と、前記第１の伝送信号に関連する第１の修正信号とが少なくとも付けられている第２の重畳信号を受信し、前記第１の重畳信号および前記第２の重畳信号から、前記第２の伝送信号を得る再送検出手段と、を備えることを特徴とするユーザ端末。
【請求項２５】
前記初送検出手段は、さらに、
前記第１の伝送信号が検出されたが、前記第２の伝送信号が検出できない場合、第１のフィードバック報告を前記基地局に送信し、
前記第１の伝送信号および前記第２の伝送信号のいずれも検出できない場合、第２のフィードバック報告を前記基地局に送信する、ことを特徴とする請求項２４に記載のユーザ端末。
【請求項２６】
前記再送検出手段は、さらに、
前記第１の重畳信号における前記第１の伝送信号の送信電力を決定し、
前記第２の重畳信号における前記第１の修正信号の送信電力を決定し、
前記第１の修正信号の送信電力と、前記第１の伝送信号の送信電力とから、電力スケーリング因子を得、
該電力スケーリング因子に応じて、前記第１の重畳信号の総送信電力をスケーリングし、
前記第２の重畳信号と、前記電力スケーリング後の前記第１の重畳信号とを加算して、干渉除去信号を得、
前記干渉除去信号から、前記第２の伝送信号を検出する、ことを特徴とする請求項２４に記載のユーザ端末。
【請求項２７】
基地局であって、
第１の伝送信号と、第１のユーザ端末の第２の伝送信号とが付けられている第１の重畳信号を生成する第１の重畳構築手段と、
前記第１のユーザ端末から、該第２の伝送信号が検出できないことを示すための否定フィードバック報告を受信すると、該第２の伝送信号と、前記第１の伝送信号に関連する第１の修正信号とが少なくとも付けられている第２の重畳信号を構築する第２の重畳構築手段と、
前記第１の重畳信号および前記第２の重畳信号を送信する送信手段と、を備えることを特徴とする基地局。
【請求項２８】
前記第２の重畳構築手段は、
前記第１の伝送信号を修正して、第１の修正信号を得る修正信号生成手段と、
前記第１の伝送信号と前記第２の伝送信号との前記第１の重畳信号における電力に応じて、前記第１の修正信号と前記第２の伝送信号との送信電力を設定する送信電力設定手段と、
前記第１の修正信号と、前記第２の伝送信号とを基に、前記第２の重畳信号を構築する修正重畳構築手段と、を含む、ことを特徴とする請求項２７に記載の基地局。
【請求項２９】
前記送信電力設定手段は、さらに、他のユーザ端末の第３の伝送信号を取得して、該第３の伝送信号の送信電力を設定し、
前記修正重畳構築手段は、さらに、前記第３の伝送信号と、前記第１の修正信号と、前記第２の伝送信号とを基に、前記第２の重畳信号を構築する、ことを特徴とする請求項２８に記載の基地局。
【請求項３０】
前記否定フィードバック報告を受信すると、該否定フィードバック報告のタイプを判断し、前記第１の伝送信号が前記第１のユーザ端末によって検出されたが、前記第２の伝送信号が前記第１のユーザ端末によって検出できないことを示すための第１のフィードバック報告である場合、再送重畳構築手段をトリガーし、前記第１の伝送信号および前記第２の伝送信号のいずれも前記第１のユーザ端末によって検出できないことを示すための第２のフィードバック報告である場合、前記修正重畳構築手段をトリガーするフィードバック報告処理手段と、
該第２の伝送信号が少なくとも付けられている再送重畳信号を構築する再送重畳構築手段と、をさらに含むことを特徴とする請求項２８または請求項２９に記載の基地局。
【発明の詳細な説明】
【技術分野】
【０００１】
本発明は、通信分野に関し、特に、データ処理および伝送方法、並びに、ユーザ端末および基地局に関する。
【背景技術】
【０００２】
無線通信システムでは、データ伝送効率を高めるために、１つのデータパケットに複数の伝送信号を同時に付けて、基地局によって対応のユーザ端末に送信してもよい。このようなデータパケットは、重畳信号とも呼ばれてもよい。一例では、前記複数の伝送信号は、複数のユーザ端末へ送信された伝送信号であってもよく、各伝送信号それぞれが１つのユーザ端末に対応する。一例では、前記複数の伝送信号は、１つのユーザ端末の複数本の受信アンテナへ送信された伝送信号であってもよい。ユーザ端末は、重畳信号を受信すると、その中から、信号検出によって、対応する伝送信号を得る必要がある。重畳信号に複数の伝送信号が付けられているため、ある伝送信号の検出時に、ユーザ間干渉または信号間干渉による影響を受ける可能性が大きく、検出エラーを招き、データ伝送性能に影響を及ぼす。
【発明の概要】
【発明が解決しようとする課題】
【０００３】
本発明の実施例は、データ処理および伝送方法、プログラムおよび不揮発性機械可読記憶媒体、並びに、ユーザ端末および基地局を提供しており、データ伝送性能を向上させることを目的とする。
【課題を解決するための手段】
【０００４】
一例では、データ処理方法であって、第１のユーザ端末が、第１の伝送信号と、該第１のユーザ端末の第２の伝送信号とが付けられている第１の重畳信号を受信し、該第２の伝送信号が検出できない場合、該第１のユーザ端末が否定フィードバック報告を基地局に送信し、前記第１のユーザ端末が、該第２の伝送信号と、前記第１の伝送信号に関連する第１の修正信号とが少なくとも付けられている第２の重畳信号を受信し、該第１のユーザ端末が、前記第１の重畳信号および前記第２の重畳信号から、前記第２の伝送信号を得る、ことを含む。
【０００５】
一例では、データ伝送方法であって、基地局が、第１の伝送信号と、第１のユーザ端末の第２の伝送信号とが付けられている第１の重畳信号を生成して送信し、前記第１のユーザ端末から、該第２の伝送信号が検出できないことを示すための否定フィードバック報告を受信すると、前記基地局が、該第２の伝送信号と、前記第１の伝送信号に関連する第１の修正信号とが少なくとも付けられている第２の重畳信号を構築して送信する、ことを含む。
【０００６】
一例では、ユーザ端末であって、プロセッサと、不揮発性機械可読記憶媒体と、該不揮発性機械可読記憶媒体に記憶され、該プロセッサで実行されるプログラムモジュールと、を備え、前記プログラムモジュールは、第１の重畳信号を受信し、前記第１の重畳信号に付けられている、第１の伝送信号と、該第１のユーザ端末の第２の伝送信号とを検出し、該第２の伝送信号が検出できない場合、否定フィードバック報告を基地局に送信し、該第２の伝送信号と、前記第１の伝送信号に関連する第１の修正信号とが少なくとも付けられている第２の重畳信号を受信し、前記第１の重畳信号および前記第２の重畳信号から、前記第２の伝送信号を得る。
【０００７】
一例では、基地局であって、プロセッサと、不揮発性機械可読記憶媒体と、該不揮発性機械可読記憶媒体に記憶され、該プロセッサで実行されるプログラムモジュールと、送信手段と、を備え、前記プログラムモジュールは、第１の伝送信号と、第１のユーザ端末の第２の伝送信号とが付けられている第１の重畳信号を生成し、前記第１のユーザ端末から、該第２の伝送信号が検出できないことを示すための否定フィードバック報告を受信すると、該第２の伝送信号と、前記第１の伝送信号に関連する第１修正信号とが少なくとも付けられている第２の重畳信号を構築し、前記送信手段は、前記第１の重畳信号および前記第２の重畳信号を送信する。
【０００８】
一例では、第１のユーザ端末が、第１の伝送信号と、該第１のユーザ端末の第２の伝送信号とが付けられている第１の重畳信号を受信し、該第２の伝送信号が検出できない場合、該第１のユーザ端末が否定フィードバック報告を基地局に送信し、前記第１のユーザ端末が、該第２の伝送信号と、前記第１の伝送信号に関連する第１の修正信号とが少なくとも付けられている第２の重畳信号を受信し、該第１のユーザ端末が、前記第１の重畳信号および前記第２の重畳信号から、前記第２の伝送信号を得る、ことをコンピュータに実行させるプログラムが提供されている。
【０００９】
一例では、不揮発性機械可読記憶媒体が提供されており、前記記憶媒体に機械可読指令が記憶され、前記機械可読指令は、第１のユーザ端末が、第１の伝送信号と、該第１のユーザ端末の第２の伝送信号とが付けられている第１の重畳信号を受信し、該第２の伝送信号が検出できない場合、該第１のユーザ端末が否定フィードバック報告を基地局に送信し、前記第１のユーザ端末が、該第２の伝送信号と、前記第１の伝送信号に関連する第１の修正信号とが少なくとも付けられている第２の重畳信号を受信し、該第１のユーザ端末が、前記第１の重畳信号および前記第２の重畳信号から、前記第２の伝送信号を得る、ことを完成させるように、プロセッサで実行可能である。
【００１０】
一例では、基地局が、第１の伝送信号と、第１のユーザ端末の第２の伝送信号とが付けられている第１の重畳信号を生成して送信し、前記第１のユーザ端末から、該第２の伝送信号が検出できないことを示すための否定フィードバック報告を受信すると、前記基地局が、該第２の伝送信号と、前記第１の伝送信号に関連する第１の修正信号とが少なくとも付けられている第２の重畳信号を構築して送信する、ことをコンピュータに実行させるプログラムが提供されている。
【００１１】
一例では、不揮発性機械可読記憶媒体が提供されており、前記記憶媒体に機械可読指令が記憶され、前記機械可読指令は、基地局が、第１の伝送信号と、第１のユーザ端末の第２の伝送信号とが付けられている第１の重畳信号を生成して送信し、前記第１のユーザ端末から、該第２の伝送信号が検出できないことを示すための否定フィードバック報告を受信すると、前記基地局が、該第２の伝送信号と、前記第１の伝送信号に関連する第１の修正信号とが少なくとも付けられている第２の重畳信号を構築して送信する、ことを完成させるように、プロセッサで実行可能である。
【００１２】
一例では、ユーザ端末であって、第１の重畳信号を受信し、前記第１の重畳信号に付けられている、第１の伝送信号と、該第１のユーザ端末の第２の伝送信号とを検出し、該第２の伝送信号が検出できない場合、否定フィードバック報告を基地局に送信する初送検出手段と、該第２の伝送信号と、前記第１の伝送信号に関連する第１の修正信号とが少なくとも付けられている第２の重畳信号を受信し、前記第１の重畳信号および前記第２の重畳信号から、前記第２の伝送信号を得る再送検出手段と、を備える。
【００１３】
一例では、基地局であって、第１の伝送信号と、第１のユーザ端末の第２の伝送信号とが付けられている第１の重畳信号を生成する第１の重畳構築手段と、前記第１のユーザ端末から、該第２の伝送信号が検出できないことを示すための否定フィードバック報告を受信すると、該第２の伝送信号と、前記第１の伝送信号に関連する第１の修正信号とが少なくとも付けられている第２の重畳信号を構築する第２の重畳構築手段と、前記第１の重畳信号および前記第２の重畳信号を送信する送信手段と、を備える。
【発明の効果】
【００１４】
ここから分かるように、本発明の実施例は、より良い伝送信号の検出性能を提供することができる。
【図面の簡単な説明】
【００１５】
【図１】（ａ）及び（ｂ）は本発明の実施例における信号伝送のシステムの模式図である。
【図２】本発明の実施例におけるデータ処理方法２００のフローの模式図である。
【図３】本発明の実施例における信号伝送のシステムの模式図である。
【図４】本発明の実施例におけるデータ処理方法４００のフローの模式図である。
【図５】本発明の実施例におけるデータ伝送方法５００のフローの模式図である。
【図６】本発明の実施例におけるデータ伝送方法６００のフローの模式図である。
【図７】本発明の実施例におけるデータ伝送方法７００のフローの模式図である。
【図８】本発明の実施例におけるユーザ端末８００の構成の模式図である。
【図９】本発明の実施例におけるユーザ端末９００の構成の模式図である。
【図１０】本発明の実施例における基地局１０００の構成の模式図である。
【図１１】本発明の実施例における基地局１１００の構成の模式図である。
【発明を実施するための形態】
【００１６】
本発明の目的、解決手段、およびメリットをさらに明確にするために、以下、図面を参照しながら、実施例を挙げて、本発明をさらに詳しく説明する。
【００１７】
伝送信号の検出エラーが発生すると、基地局は、該伝送信号について、データ再送を開始する。一例では、基地局は、ハイブリッド自動再送要求（ＨＡＲＱ：Ｈｙｂｒｉｄ  Ａｕｔｏｍａｔｉｃ  Ｒｅｐｅａｔ  ｒｅＱｕｅｓｔ）のメカニズムで、データ再送を行ってもよい。前記ＨＡＲＱのメカニズムは、前方誤り訂正（ＦＥＣ：Ｆｏｒｗａｒｄ  Ｅｒｒｏｒ  Ｃｏｒｒｅｃｔｉｏｎ）符号化と、自動再送要求（ＡＲＱ：Ａｕｔｏｍａｔｉｃ  Ｒｅｐｅａｔ  ｒｅＱｕｅｓｔ）とを組み合わせた技術である。一例では、受信側は、復号化に失敗した場合、受信されたデータを保持し、データの再送を送信側に要求する。受信側は、再送されたデータと、先に受信されたデータとを合成してから復号化する。
【００１８】
一例では、このＨＡＲＱのメカニズムは、非直交多元接続（ＮＯＭＡ：Ｎｏｎ−Ｏｒｔｈｏｇｏｎａｌ  Ｍｕｌｔｉｐｌｅ  Ａｃｃｅｓｓ）技術に用いられてもよいし、直交多元接続（ＯＭＡ：Ｏｒｔｈｏｇｏｎａｌ  Ｍｕｌｔｉｐｌｅ  Ａｃｃｅｓｓ）技術に用いられてもよい。ここで、前記ＮＯＭＡは、送信側において、非直交送信を採用して自発的に干渉情報を導入し、受信側において、連続干渉除去によって正確な復調を実現する。つまり、ＮＯＭＡは、より高いスペクトル効率を得るために、複雑な受信機の設計を利用する。
【００１９】
図１（ａ）および図１（ｂ）には、ＮＯＭＡ  ＨＡＲＱ伝送の過程が示されている。図１（ａ）において、基地局１０１は、Ｓ１とＳ２との２つの伝送信号の重畳信号（以下、第１の重畳信号１０２と呼ばれる）を送信する。この第１の重畳信号におけるＳ１およびＳ２は、いずれも初回伝送されたものである。ここで、Ｓ１は、ＵＥ２の伝送信号であり、送信電力がＰ１である。Ｓ２は、ＵＥ１の伝送信号であり、送信電力がＰ２である。一例では、Ｐ１＝０．８ＰＢＳであり、Ｐ２＝０．２ＰＢＳであり、ここで、ＰＢＳは基地局の総送信電力である。ＵＥ２は、該第１の重畳信号１０２を受信すると、Ｐ１の値が大きいため、該第１の重畳信号１０２からＳ１を検出することができる。指摘すべきものとして、Ｓ１を検出する際に、ＵＥ２は、Ｓ２を干渉として扱う。ＵＥ１は、Ｐ２の値が小さいため、まずＳ１を検出する必要があり、干渉除去によってＳ１を除去してから、Ｓ２を検出する。伝送条件の変化（例えば、チャネルの変化など）により、ＵＥ１は、Ｓ１を検出できない恐れがあることで、干渉除去を行うことができない。これに応じて、Ｓ２の検出エラーが発生することになる。この場合、ＵＥ１は、ＵＥ１によるＳ２の検出結果がエラーであることを表明する否定フィードバック報告（例えば、ＮＡＣＫフィードバック報告）を基地局１０１に送信する。図１（ｂ）において、基地局１０１は、ＵＥ１のＮＡＣＫフィードバック報告を受信した後の処理方式が複数ある。一例では、基地局１０１は、Ｓ２のみについて再送する。この場合、ユーザ間干渉が存在しないため、連続干渉除去（ＳＩＣ：Ｓｕｃｃｅｓｓｉｖｅ  Ｉｎｔｅｒｆｅｒｅｎｃｅ  Ｃａｎｃｅｌｌａｔｉｏｎ）受信機は、ＨＡＲＱ伝送のための特有の処理能力を十分に発揮できない。一例では、基地局１０１は、他のユーザの伝送信号と、再送対象であるＳ２とを、１つの新たな重畳信号（以下、第２の重畳信号１０３と呼ばれる）として組み合わせる。この第２の重畳信号１０３におけるＳ２は、再送されたものである。例えば、他のユーザの伝送信号はＵＥ３のＳ３であり、該Ｓ３は初回伝送されたものである。この場合、Ｓ３の送信電力はＰ３であり、Ｓ２の送信電力はＰ４である。ＵＥ１は、該第２の重畳信号１０３を受信すると、まず、Ｓ２を干渉としてＳ３を検出してから、例えばＳＩＣなどの干渉除去技術によって、該第２の重畳信号１０３から、Ｓ３を除去する。その後、第１の重畳信号１０２と、ＳＩＣ処理された信号とをＨＡＲＱ合成し、その中からＳ２を検出する。しかし、初回伝送にユーザ間干渉が存在するため、Ｓ２が「第２の重畳信号１０３」によって再送されても、正確なＳ２を復元できない可能性が大きい。例えば、ＵＥ１がＳ１を検出した場合、変調符号化方式（ＭＣＳ：Ｍｏｄｕｌａｔｉｏｎ  ａｎｄ  Ｃｏｄｉｎｇ  Ｓｃｈｅｍｅ）の選択のための信号対雑音比（ＳＮＲ：Ｓｉｇｎａｌ  Ｎｏｉｓｅ  Ｒａｔｉｏ）は、
2019514247.tif 000003
である。一方、ＵＥ１がＳ１を検出できない場合、Ｓ１も雑音の一部となってしまう。この場合、
2019514247.tif 000004
である。ここから分かるように、ユーザ間干渉は、大きな程度のＳＮＲ劣化を引き起こすことになる。再送のみによってこの状況を補うと、高い再送回数を招き、スペクトル効率を低下させる。つまり、あるユーザ端末は、重畳信号を受信すると、該重畳信号に付けられている他のユーザ端末の伝送信号を検出できず、かつ、該ユーザ端末自身の伝送信号も検出できない場合、新たな重畳信号によって該ユーザ端末自身の伝送信号を再送しても、該ＳＮＲ劣化による影響を補うことができない。
【００２０】
図２は、本発明の実施例におけるデータ処理方法２００のフローの模式図である。この方法２００は、以下の処理を含む。
【００２１】
ステップ２０１で、第１のユーザ端末は、第１の重畳信号を受信する。一例では、前記第１の重畳信号には、第１の伝送信号と、該第１のユーザ端末の第２の伝送信号とが付けられている。
【００２２】
一例では、第２の伝送信号は、該第１のユーザ端末の実際の信号であるが、第１の伝送信号は、該第１のユーザ端末の実際の信号ではない。このため、第１のユーザ端末にとって、前記第２の伝送信号と重畳して第１のユーザ端末に伝送された該第１の伝送信号は、ユーザ間干渉である可能性がある。一例では、第１の伝送信号は、図１（ａ）に示すように、無線ネットワークにおけるＵＥ２の実際の信号である。一例では、第１の伝送信号は、該第１のユーザ端末のアンテナ１へ送信された信号であり、第２の伝送信号は、該第１のユーザ端末のアンテナ２へ送信された信号である。第２の伝送信号の検出にとって、第１の伝送信号は、それへの信号間干渉となっている。
【００２３】
ステップ２０２で、第１のユーザ端末によって該第２の伝送信号が検出できない場合、前記第１のユーザ端末は、「否定フィードバック報告」を前記基地局に送信する。一例では、前記否定フィードバック報告は、第１のユーザ端末による自局の実際の信号の検出にエラーが発生することを示すためのものである。
【００２４】
ステップ２０３で、前記第１のユーザ端末は、第２の重畳信号を受信する。一例では、前記第２の重畳信号には、前記第１の伝送信号に関連する第１の修正信号と、該第２の伝送信号とが少なくとも付けられている。
【００２５】
一例では、ステップ２０２において、第１のユーザ端末は、否定フィードバック報告を基地局に提供して、第２の伝送信号が検出できないことを基地局に通知したので、基地局は、第２の伝送信号の再送を開始し、前記第２の重畳信号を構築して、前記第１のユーザ端末に送信する。指摘すべきものとして、基地局は、第２の重畳信号を送信する前に、制御シグナリングを介して、第１のユーザ端末に対し、第２の伝送信号の再送を受信するよう通知する。
【００２６】
ステップ２０４で、前記第１のユーザ端末は、該第１の重畳信号および前記第２の重畳信号から、前記第２の伝送信号を得る。一例では、第１のユーザ端末は、第１の重畳信号と第２の重畳信号との合成結果から、第２の伝送信号を抽出してもよい。
【００２７】
ここから分かるように、本発明の実施例は、より良い伝送信号の検出性能を提供することができる。一例では、初送および再送は、第２の伝送信号に対するものであり、第２の伝送信号を基準とする。つまり、初送とは、第２の伝送信号の１回目伝送であり、再送とは、第２の伝送信号の２回目伝送や、３回目伝送、４回目伝送などである。
【００２８】
ステップ２０２の一実現例では、第１のユーザ端末は、第１の重畳信号から、前記第１の伝送信号および前記第２の伝送信号をそれぞれ検出する。具体的には、ステップ２０２は、前記第１の伝送信号が検出されたが、前記第２の伝送信号が検出できない場合、第１のフィードバック報告を前記基地局に送信し、前記第１の伝送信号および前記第２の伝送信号のいずれも検出できない場合、第２のフィードバック報告を前記基地局に送信することを含む。ここで、第１のフィードバック報告は、信号フェーディングによる検出エラーを示すためのものであり、第２のフィードバック報告は、ユーザ間干渉による検出エラーを示すためのものである。つまり、第１のユーザ端末は、信号フェーディングによる検出エラーと、ユーザ間干渉による検出エラーとを区分する。表１には、第１のユーザ端末の信号検出状況が示されている。指摘すべきものとして、表１における第１フィードバック報告および第２のフィードバック報告は、いずれも否定フィードバック報告である。
【表１】
2019514247.tif 000005
【００２９】
図３は、本発明の実施例のステップ２０３における第２の重畳信号の構築の模式図である。一例では、基地局は、図１（ａ）に示す初送を完成した後、前記第２のフィードバック報告を受信すると、前記第１の伝送信号Ｓ１を反転させて、前記第１の修正信号（−Ｓ１）を得る。その後、基地局は、第３の伝送信号Ｓ３と、第１の修正信号（−Ｓ１）と、第２の伝送信号（Ｓ２）とを基に、第２の重畳信号３０１を構築して、第１のユーザ端末（ＵＥ１）および他のユーザ端末（例えば、ＵＥ３）に送信する。ここで、前記第３の伝送信号Ｓ３は、ＵＥ３の伝送信号であり、ＵＥ１にとって、同様にユーザ間干渉である。これに応じて、ステップ２０４は、以下の処理を含む。まず、第１のユーザ端末は、第１の重畳信号と第２の重畳信号とを合成する。第２の重畳信号に第１の修正信号が含まれているため、合成により、Ｓ１の干渉自己除去を実現することができる。その後、第１のユーザ端末は、Ｓ３を検出し、ＳＩＣ処理によって、Ｓ３を除去する。最後に、第１のユーザ端末は、Ｓ２を検出し、正確な検出結果を得る。
【００３０】
一例では、基地局は、第１の伝送信号Ｓ１に回転因子を乗じて、第１の修正信号を得るようにしてもよい。具体的には、ステップ２０１における第１の重畳信号ｙ１は、数式１に示す通りであり、ステップ２０３における第２の重畳信号ｙ２は、数式２に示す通りである。第３の伝送信号Ｓ３が除去された修正重畳信号ｙ２’は、数式３に示す通りである。数式１と数式３とを合成して、数式４を得る。数式４における行列Ｈは、数式５に示す通りである。下記の数式において、ｈ１は初送のチャネル伝送関数であり、ｎ１は初送の雑音であり、ｈ２は再送のチャネル伝送関数であり、ｎ２は再送の雑音であり、θは回転因子である。Ｐ１は第１の伝送信号Ｓ１の初送時の送信電力であり、Ｐ２は第２の伝送信号Ｓ２の初送時の送信電力である。Ｐ１’は第１の修正信号（本例ではＳ１ｅｊθ）の再送時の送信電力であり、Ｐ２’は第２の伝送信号Ｓ２の再送時の送信電力であり、Ｐ３は第３の伝送信号Ｓ３の再送時の送信電力である。
2019514247.tif 000006
【００３１】
通常の場合、行列Ｈはフルランクであり、ステップ２０４において、ゼロフォーシング（ＺＦ：ｚｅｒｏ  ｆｏｒｃｉｎｇ）検出、または最小平均二乗誤差（ＭＭＳＥ：Ｍｉｎｉｍｕｍ  Ｍｅａｎ  Ｓｑｕａｒｅｄ  Ｅｒｒｏｒ）検出によって、第１の伝送信号Ｓ１および第２の伝送信号Ｓ２を得るようにしてもよい。
【００３２】
例えば、ＺＦ検出を採用する場合、行列Ｈの逆行列Ｈ−１を求めてもよい。数式４の両辺に左からＨ−１を乗じて、数式６および数式７を得る。数式７によって、Ｓ１およびＳ２の復調や推定などの処理を行う。
2019514247.tif 000007
【００３３】
図４は、本発明の実施例におけるデータ処理方法４００のフローの模式図である。この方法４００は、以下の処理を含む。
【００３４】
ステップ４０１で、第１のユーザ端末は、第１の伝送信号および第２の伝送信号が付けられている第１の重畳信号を受信し、第１の伝送信号の送信電力を決定する。ここで、第２の伝送信号は、第１のユーザ端末の実際の信号であり、第１の重畳信号において初回伝送されたものである。
【００３５】
ステップ４０２で、第１のユーザ端末は、該第１の重畳信号から、前記第１の伝送信号および前記第２の伝送信号をそれぞれ検出し、検出結果に応じたフィードバック報告を提供する。
【００３６】
一例では、第１のユーザ端末によって第２の伝送信号が検出された場合、第１の伝送信号が検出されたか否かに関わらず、該第１のユーザ端末は、肯定フィードバック報告を基地局に提供する。第１のユーザ端末によって、第２の伝送信号が検出されなかったが、第１の伝送信号が検出された場合、第１のユーザ端末は、第１のフィードバック報告を基地局にフィードバックする。第１のユーザ端末によって、第２の伝送信号も第１の伝送信号も検出されなかった場合、第１のユーザ端末は、第２のフィードバック報告を基地局にフィードバックする。
【００３７】
ステップ４０３で、基地局は、受信されたフィードバック報告のタイプを判断する。肯定フィードバック報告である場合、ステップ４０４を実行する。第１のフィードバック報告である場合、ステップ４０５を実行する。第２のフィードバック報告である場合、ステップ４０６を実行する。
【００３８】
ステップ４０４で、基地局は、次のグループのユーザ端末の伝送信号を重畳して送信し、本フローを終了する。
【００３９】
一例では、次のグループのユーザ端末は、第１の重畳信号に対応するユーザ端末と異なる。例えば、第１の重畳信号に対応するユーザ端末がＵＥ１およびＵＥ２である場合、次のグループのユーザ端末は、ＵＥ３およびＵＥ４であってもよい。
【００４０】
ステップ４０５で、基地局は、再送重畳信号を構築して送信し、本フローを終了する。
一例では、前記再送重畳信号には、該第２の伝送信号が少なくとも付けられている。例えば、再送重畳信号は、図１（ｂ）に示す通りである。ここで、Ｓ２は再送されたものであり、Ｓ３は初送されたものである。Ｓ２の再送について、基地局は、制御シグナリングを介して、第１のユーザ端末に通知する。指摘すべきものとして、再送重畳信号には、第１の修正信号が含まれない。
【００４１】
ステップ４０６で、基地局は、第２の重畳信号を構築して送信する。
一例では、ステップ４０６は、具体的に、前記基地局が、前記第１の伝送信号から、第１の修正信号を得、前記第１の伝送信号と前記第２の伝送信号との前記第１の重畳信号における電力に応じて、前記第１の修正信号と前記第２の伝送信号との送信電力を設定し、他のユーザ端末の第３の伝送信号を取得して、該第３の伝送信号の送信電力を設定し、前記第３の伝送信号と、前記第１の修正信号と、前記第２の伝送信号とを基に、前記第２の重畳信号を構築して、前記第１のユーザ端末に送信することを含む。
【００４２】
一例では、ステップ４０６は、具体的に、前記基地局が、前記第１の伝送信号から、第１の修正信号を得、前記第１の伝送信号と前記第２の伝送信号との前記第１の重畳信号における電力に応じて、前記第１の修正信号と前記第２の伝送信号との送信電力を設定し、前記第１の修正信号と、前記第２の伝送信号とを基に、前記第２の重畳信号を構築して、前記第１のユーザ端末に送信することを含む。
【００４３】
一例では、第１の伝送信号を反転させて、前記第１の修正信号を得るようにしてもよいし、第１の伝送信号に回転因子を乗じて、前記第１の修正信号を得るようにしてもよい。ここから分かるように、第１の修正信号は、第１の伝送信号を修正したものであることで、第１のユーザ端末は、第１の重畳信号と第２の重畳信号とを結合して処理すると、第１の伝送信号による第２の伝送信号の検出への干渉を除去することができる。
【００４４】
ステップ４０７で、第１のユーザ端末は、該第２の重畳信号を受信すると、前記第２の重畳信号における前記第１の修正信号の送信電力を決定する。
【００４５】
ステップ４０８で、第１のユーザ端末は、前記第１の伝送信号の送信電力と、前記第１の修正信号の送信電力とに基づいて、電力スケーリング因子を決定し、前記電力スケーリング因子に応じて、前記第１の重畳信号の総送信電力をスケーリングする。
【００４６】
一例では、第１の修正信号の送信電力がＰ１’であり、第１の伝送信号の送信電力がＰ１であり、電力スケーリング因子がαである場合、α＝Ｐ１’／Ｐ１である。上記の処理を経ると、電力スケーリング後の第１の重畳信号における第１の伝送信号は、前記第１の修正信号と同じ電力を有する。
【００４７】
ステップ４０９で、前記第１のユーザ端末は、前記第２の重畳信号と、前記電力スケーリング後の前記第１の重畳信号とを加算して、干渉除去信号を得る。
【００４８】
一例では、電力スケーリング後の前記第１の重畳信号における第１の伝送信号Ｓ１の電力はＰ１’であり、第２の重畳信号における第１の修正信号（本例では−Ｓ１）の電力もＰ１’であるので、両者を加算すると、Ｓ１の干渉自己除去を実現することができる。
【００４９】
ステップ４１０で、前記第１のユーザ端末は、前記干渉除去信号から、前記第２の伝送信号を得、本フローを終了する。一例では、ステップ４１０における干渉除去信号に第３の伝送信号Ｓ３が含まれ、第１のユーザ端末は、ＳＩＣ処理などの方式によって、Ｓ３を検出し（このとき、まずＳ２を干渉と見なす）、さらに、検出されたＳ３を用いて、Ｓ２を検出する。
【００５０】
図５は、本発明の実施例におけるデータ伝送方法５００のフローの模式図である。この方法５００は、以下の処理を含む。
【００５１】
ステップ５０１で、基地局は、第１の伝送信号と、第１のユーザ端末の第２の伝送信号とが付けられている第１の重畳信号を生成して送信する。
【００５２】
ステップ５０２で、前記第１のユーザ端末から否定フィードバック報告を受信すると、前記基地局は、第２の重畳信号を構築して送信する。一例では、前記否定フィードバック報告は、該第２の伝送信号が検出できないことを示すためのものであり、前記第２の重畳信号には、該第２の伝送信号と、前記第１の伝送信号に関連する第１の修正信号とが少なくとも付けられている。
【００５３】
一例では、基地局は、第１のユーザ端末の否定フィードバック報告を受信すると、第１の修正信号とＳ２との重畳信号である修正重畳信号と、他のユーザの伝送信号とを、１つの新たな重畳信号（以下、第２の重畳信号と呼ばれる）として組み合わせて再送する。一例では、該修正重畳信号は、（−Ｓ１）とＳ２との重畳信号である。一例では、該修正重畳信号は、Ｓ１に回転因子を乗じたものとＳ２との重畳信号である。他のユーザの伝送信号がＵＥ３のＳ３であるとする。この場合、Ｓ３の送信電力はＰ３であり、修正重畳信号の送信電力はＰ４である。図３に示す例では、第１の修正信号が−Ｓ１であり、割合に応じて割り当てると、（−Ｓ１）の送信電力はＰ１’であり、Ｓ２の送信電力はＰ２’である。一例では、良い性能を保証するために、Ｐ２’≧Ｐ２を要求してもよい。一例では、Ｐ１’／Ｐ２’＝Ｐ１／Ｐ２であり、つまり、Ｓ１とＳ２との再送における電力比は、初送と比較して、変更がない。指摘すべきものとして、Ｐ１’、Ｐ２’、Ｐ１、Ｐ２の値は、これらの間の制約関係を考慮する必要がなく、独立して設定してもよい。
【００５４】
一例では、第１の重畳信号ｙ１は数式８に示す通りであり、第２の重畳信号ｙ２は数式９に示す通りである。
2019514247.tif 000008
【００５５】
図６は、本発明の実施例におけるデータ伝送方法６００のフローの模式図である。この方法６００は、以下の処理を含む。
【００５６】
ステップ６０１で、基地局は、否定フィードバック報告を受信すると、前記第１の伝送信号を反転させて、第１の修正信号を得る。
【００５７】
ステップ６０２で、基地局は、前記第１の伝送信号と前記第２の伝送信号との前記第１の重畳信号における電力に応じて、前記第１の修正信号と前記第２の伝送信号との送信電力を設定する。
【００５８】
ステップ６０３で、基地局は、前記第１の修正信号と、前記第２の伝送信号とを基に、前記第２の重畳信号を構築して、第１のユーザ端末に送信する。
【００５９】
図７は、本発明の実施例におけるデータ伝送方法７００のフローの模式図である。この方法７００は、以下の処理を含む。
【００６０】
ステップ７０１で、基地局は、否定フィードバック報告を受信すると、第１の伝送信号を反転させて、第１の修正信号を得る。
【００６１】
ステップ７０２で、基地局は、前記第１の伝送信号と第２の伝送信号との第１の重畳信号における電力に応じて、前記第１の修正信号と前記第２の伝送信号との送信電力を設定する。
【００６２】
ステップ７０３で、基地局は、他のユーザ端末の第３の伝送信号を取得して、該第３の伝送信号の送信電力を設定する。
【００６３】
ステップ７０４で、基地局は、前記第３の伝送信号と、前記第１の修正信号と、前記第２の伝送信号とを基に、第２の重畳信号を構築して、前記第１のユーザ端末に送信する。
【００６４】
上述した図２〜図７の実施例では、重畳信号に含まれるのは、異なるユーザ端末に対する伝送信号である。指摘すべきものとして、上記の実施例は、重畳信号に異なる受信アンテナに対する伝送信号が含まれる場合にも同様に適用可能である。例えば、第１の伝送信号が第１のユーザ端末のアンテナ１の信号であり、第２の伝送信号が第１のユーザ端末のアンテナ２の信号である場合にも、図２〜図７における方法を採用して、データ処理および伝送を行うことができる。
【００６５】
また、本願には、図２〜図７に示す方法をコンピュータに実行させるプログラム、および、該プログラムを記憶する不揮発性機械可読記憶媒体も開示されている。
【００６６】
図８は、本発明の実施例におけるユーザ端末８００の構成の模式図である。一例では、該ユーザ端末８００は、プロセッサ８０１と、不揮発性機械可読記憶媒体８０２と、を備える。一例では、該ユーザ端末８００は、該不揮発性機械可読記憶媒体８０２に記憶され、該プロセッサ８０１で実行されるプログラムモジュール８０３を備える。
【００６７】
前記プログラムモジュール８０３は、第１の重畳信号を受信し、前記第１の重畳信号に付けられている、第１の伝送信号と、該第１のユーザ端末の第２の伝送信号とを検出し、該第２の伝送信号が検出できい場合、否定フィードバック報告を基地局に送信し、第２の重畳信号を受信し、前記第１の重畳信号および前記第２の重畳信号から、前記第２の伝送信号を得る。ここで、前記第２の重畳信号には、該第２の伝送信号と、前記第１の伝送信号に関連する第１の修正信号とが少なくとも付けられている。一例では、前記第１の伝送信号は、該第１のユーザ端末の実際の信号ではない。一例では、第２の伝送信号は、該第１のユーザ端末の１本のアンテナへ送信された信号であり、第１の伝送信号は、該第１のユーザ端末の他の１本のアンテナへ送信された信号である。指摘すべきものとして、該ユーザ端末８００の処理は、図２〜図４のフローを参照すればよい。
【００６８】
図９は、本発明の実施例におけるユーザ端末９００の構成の模式図である。一例では、該ユーザ端末９００は、プロセッサ８０１と、不揮発性機械可読記憶媒体８０２と、を備える。一例では、該ユーザ端末９００は、図８における機能を実現するために、該不揮発性機械可読記憶媒体８０２に記憶され、該プロセッサ８０１で実行されるプログラムモジュール８０３を備える。
【００６９】
一例では、該プログラムモジュール８０３は、該第１の重畳信号における第２の伝送信号を検出し、検出結果に応じたフィードバック報告を提供する初送検出手段９１３と、前記第２の重畳信号における前記第１の修正信号の送信電力を決定し、第１の伝送信号の送信電力と、前記第１の修正信号の送信電力とに基づいて、電力スケーリング比を決定し、該電力スケーリング比に応じて、前記第１の重畳信号の総送信電力をスケーリングし、前記第２の重畳信号と、前記電力スケーリング後の前記第１の重畳信号とを加算して、干渉除去信号を得、前記干渉除去信号から、前記第２の伝送信号を検出する自己干渉除去手段９２３と、を含む。
【００７０】
図１０は、本発明の実施例における基地局１０００の構成の模式図である。一例では、該基地局１０００は、プロセッサ１００１と、不揮発性機械可読記憶媒体１００２と、送信手段１００４と、を備える。一例では、該ユーザ端末１０００は、該不揮発性機械可読記憶媒体１００２に記憶され、該プロセッサ１００１で実行されるプログラムモジュール１００３を備える。
【００７１】
ここで、前記プログラムモジュール１００３は、第１の伝送信号と、第１のユーザ端末の第２の伝送信号とが付けられている第１の重畳信号を生成し、前記第１のユーザ端末から、該第２の伝送信号が検出できないことを示すための否定フィードバック報告を受信すると、該第２の伝送信号と、前記第１の伝送信号に関連する第１の修正信号とが少なくとも付けられている第２の重畳信号を構築する。
【００７２】
一例では、前記送信手段１００４は、前記第１の重畳信号および前記第２の重畳信号を送信する。指摘すべきものとして、該基地局１０００の処理は、図５〜図７のフローを参照すればよい。
【００７３】
図１１は、本発明の実施例における基地局１１００の構成の模式図である。一例では、該基地局１１００におけるプログラムモジュール１００３は、修正信号生成手段１１１３と、送信電力設定手段１１２３と、修正重畳構築手段１１３３と、を含む。
【００７４】
一例では、前記修正信号生成手段１１１３は、前記第１の伝送信号を修正して、第１の修正信号を得る。前記送信電力設定手段１１２３は、前記第１の伝送信号と前記第２の伝送信号との前記第１の重畳信号における電力に応じて、前記第１の修正信号と前記第２の伝送信号との送信電力を設定する。前記修正重畳構築手段１１３３は、前記第１の修正信号と、前記第２の伝送信号とを基に、前記第２の重畳信号を構築する。
【００７５】
一例では、前記送信電力設定手段１１２３は、さらに、他のユーザ端末の第３の伝送信号を取得して、該第３の伝送信号の送信電力を設定する。前記修正重畳構築手段１１３３は、前記第３の伝送信号と、前記第１の修正信号と、前記第２の伝送信号とを基に、前記第２の重畳信号を構築する。
【００７６】
一例では、前記プログラムモジュール１００３は、フィードバック報告処理手段１１４３をさらに含む。前記フィードバック報告処理手段１１４３は、受信された否定フィードバック報告のタイプを判断し、第１のフィードバック報告である場合、再送重畳構築手段１１５３をトリガーし、第２のフィードバック報告である場合、前記修正重畳構築手段１１３３をトリガーする。
【００７７】
前記再送重畳構築手段１１５３は、該第２の伝送信号が少なくとも付けられている再送重畳信号を構築する。前記修正重畳構築手段１１３３は、該第２の重畳信号を構築する。
【００７８】
指摘すべきものとして、前記第１のフィードバック報告は、前記第１の伝送信号が前記第１のユーザ端末によって検出されたが、前記第２の伝送信号が前記第１のユーザ端末によって検出できないことを示すためのものである。前記第２のフィードバック報告は、前記第１の伝送信号および前記第２の伝送信号のいずれも前記第１のユーザ端末によって検出できないことを示すためのものである。
【００７９】
上記は、本発明の好ましい実施例にすぎず、本発明の保護範囲を限定するものではない。本発明の精神と原則内で行われる種々の修正、均等置換え、改善などは全て本発明の保護範囲内に含まれるべきである。
【符号の説明】
【００８０】
１０１  基地局
１０２  第１の重畳信号
１０３  第２の重畳信号
２００  データ処理方法
３０１  第２の重畳信号
４００  データ処理方法
５００  データ伝送方法
６００  データ伝送方法
７００  データ伝送方法
８００  ユーザ端末
８０１  プロセッサ
８０２  記憶媒体
８０３  プログラムモジュール
９００  ユーザ端末
９１３  初送検出手段
９２３  自己干渉除去手段
１０００  基地局
１００１  プロセッサ
１００２  記憶媒体
１００３  プログラムモジュール
１００４  送信手段
１１００  基地局
１１１３  修正信号生成手段
１１２３  送信電力設定手段
１１３３  修正重畳構築手段
１１４３  フィードバック報告処理手段
１１５３  再送重畳構築手段
Ｓ１  ＵＥ２の伝送信号（第１の伝送信号）
Ｓ２  ＵＥ１の伝送信号（第２の伝送信号）
Ｓ３  ＵＥ３の伝送信号（第３の伝送信号）
−Ｓ１  Ｓ１の反転信号（第１の修正信号）
Ｐ１  Ｓ１の送信電力
Ｐ２  Ｓ２の初送時の送信電力
Ｐ３  Ｓ３の送信電力
Ｐ４  Ｓ２の再送時の送信電力（従来）、修正重畳信号の送信電力（本発明）
Ｐ１’  第１の修正信号の送信電力
Ｐ２’  Ｓ２の再送時の送信電力（本発明）
【図１】
2019514247.tif 000009
【図２】
2019514247.tif 000010
【図３】
2019514247.tif 000011
【図４】
2019514247.tif 000012
【図５】
2019514247.tif 000013
【図６】
2019514247.tif 000014
【図７】
2019514247.tif 000015
【図８】
2019514247.tif 000016
【図９】
2019514247.tif 000017
【図１０】
2019514247.tif 000018
【図１１】
2019514247.tif 000019
【手続補正書】
【提出日】平成30年10月22日(2018.10.22)
【手続補正１】
【補正対象書類名】図面
【補正対象項目名】図４
【補正方法】変更
【補正の内容】
【図４】
2019514247.tif 000020
【国際調査報告】
2019514247.tif 000021
2019514247.tif 000022
2019514247.tif 000023
2019514247.tif 000024